(57)【要約】 【課題】高い生産性および優れた外観を有するとともに、臨場感のある反響音を提供できる薄型の画像表示装置を提供すること。【解決手段】リアプロジェクタ１は、入力された画像情報に応じて画像を形成して表示する画像表示部と、入力される音声情報に応じて音声を出力する音声出力ユニット７と、これらを収納する箱状の筐体とを備え、音声出力ユニット７は、フレーム枠２２およびミラーケース２１によって箱状に形成されたエンクロージャ７１と、エンクロージャ７１を形成するフレーム枠２２に取付けられるスピーカ７２と、このスピーカ７２が取付けられたフレーム枠２２に形成された高音用の放音孔７３と、エンクロージャ７１を形成しているミラーケース２１において、このミラーケース２１からエンクロージャ７１の内部へ突出し、開口端７４１が外部に露出するダクト７４とを含み構成されている。【選択図】 図１１
2006211388.tif 000002
【特許請求の範囲】
【請求項１】
入力された画像情報に応じて画像を形成して表示する画像表示部と、この画像情報とともに入力される音声情報に応じて音声を出力する音声出力部と、前記画像表示部および前記音声出力部を収納する箱状の筐体とを備えた画像表示装置であって、
前記筐体は、前記画像表示部が露出する筐体前部と、この筐体前部の後面側を覆う筐体後部とを備え、
前記音声出力部は、前記筐体前部および前記筐体後部によって箱状に形成された音響筐体と、この音響筐体に収納される状態で前記筐体前部に取付けられるスピーカと、このスピーカが取付けられた前記筐体前部に形成された高音用の放音孔と、前記音響筐体を形成する前記筐体後部において、この筐体後部から前記音響筐体の内部へ突出するとともに、開口端が外部に露出するダクトとを含み構成されていることを特徴とする画像表示装置。
【請求項２】
請求項１に記載の画像表示装置において、
前記放音孔は、前記筐体前部を前記音響筐体内部へ向かって貫通形成され、前記筐体前部に対し極めて小径である複数の貫通孔から構成され、
前記音響筐体を形成する前記筐体前部の前面には、前記放音孔とほぼ同径の装飾凹部が分布して形成されていることを特徴とする画像表示装置。
【発明の詳細な説明】
【技術分野】
【０００１】
本発明は、入力される画像情報に応じて画像を形成して表示する画像表示装置に関する。特に、液晶テレビおよびリアプロジェクタ等の薄型の画像表示装置に関する。
【背景技術】
【０００２】
近年、液晶テレビやリアプロジェクタなど、薄型の画像表示装置が普及しつつある。これら薄型の画像表示装置は、設置場所の省スペース、および、優れた外観などの利点を有している。
従来、リアプロジェクタは、入力された画像情報に応じて画像を形成して表示する画像表示部と、この画像情報とともに入力される音声情報に応じて音声を出力する音声出力部と、画像表示部および音声出力部を収納する箱状の筐体とを備え、筐体の前面には、画像表示部が露出されている（例えば、特許文献１参照）。
【０００３】
音声出力部は、特許文献１のリアプロジェクタのように、筐体前面おいて露出された画像表示部の周囲に設けられることが多い。従来、音声出力部は、箱状の音響筐体と、音響筐体の収納された状態で音響筐体の前面に取付けられるスピーカと、スピーカが取付けられた音響筐体の前面に貫通形成された放音孔とを備えている。
このような音声出力部を備えた画像表示装置の筐体を、視察者から一枚の略板状に見えるように形成すると、前述の画像表示装置が持つ省スペース、および、優れた外観などの利点を保持することができる。このため、音声出力部に対しても、画像表示装置と同様に薄型化が求められている。
【０００４】
さらに、視察者に臨場感のある反響音を提供するため、音声出力部には、音質の向上が求められている。音質を向上させることのできる音響筐体の構成として、バスレフ型の音響筐体が知られている。バスレフ型の音響筐体とは、前述のスピーカが取付けられた音響筐体の前面に、この前面から音響筐体内部へ突出し、開口端が外部に露出したダクトが設けられたものである。このようなバスレフ型の音響筐体は、音響筐体およびダクト内で音声を共鳴させることによって、スピーカから出力された低音領域の音声を増強させる。
また、従来、画像表示装置の筐体は、合成樹脂を射出成型して形成されることが多く、筐体成型時に前述のダクトも一体的に成型されることが多い。
【０００５】
しかし、音響筐体をダクトとともに射出成型すると、成型時の合成樹脂の熱膨張、および、成型終了後の収縮により、成型品に形状の引けが生じる。特に、ダクトの開口端付近は、この引けの影響が大きいため、ダクトの開口端付近の音響筐体前面には、音響筐体の内部へ向かって陥没する凹みが形成される。
このように、ダクトの開口端付近の音響筐体前面に凹みが形成されると、画像表示装置の外観が損なわれる恐れがある。このような外観上の課題を解決するため、画像表示装置には、音響筐体前面を覆う飾りカバーが取付けられることがある。
【０００６】
【特許文献１】特開２００３−２７４３１４号公報
【発明の開示】
【発明が解決しようとする課題】
【０００７】
しかしながら、前述のように、音響筐体前面に飾りカバーを取付けると、部品点数や製作工程が増えるため、画像表示装置の生産性が低下する。さらに、飾りカバーの分だけ音響筐体の厚み、つまり、音響筐体が備えられた画像表示装置の厚みが増すため、画像表示装置の外観が損なわれるなど、薄型の画像表示装置の音声出力部に求められる薄型化の要求に答えられないという課題がある。
【０００８】
本発明の目的は、高い生産性および優れた外観を有するとともに、臨場感のある反響音を提供できる薄型の画像表示装置を提供することである。
【課題を解決するための手段】
【０００９】
本発明の画像表示装置は、入力された画像情報に応じて画像を形成して表示する画像表示部と、この画像情報とともに入力される音声情報に応じて音声を出力する音声出力部と、画像表示部および音声出力部を収納する箱状の筐体とを備えた画像表示装置であって、筐体は、画像表示部が露出する筐体前部と、この筐体前部の後面側を覆う筐体後部とを備え、音声出力部は、筐体前部および筐体後部によって箱状に形成された音響筐体と、この音響筐体に収納される状態で筐体前部に取付けられるスピーカと、このスピーカが取付けられた筐体前部に形成された高音用の放音孔と、音響筐体を形成している筐体後部において、この筐体後部から音響筐体の内部へ突出するとともに、開口端が外部に露出するダクトとを含み構成されていることを特徴とする。
【００１０】
音響筐体をダクトとともに射出成型した場合、成型品には形状の引けが伴うため、ダクトの開口端付近の音響筐体には、音響筐体の内部へ向かって陥没する凹みが形成されることが多い。
しかし、本発明によれば、ダクトは、筐体後部に音響筐体の内部へ向かって突出して形成されている。このため、画像表示装置を前面側から見ている視察者からは、開口端付近の凹みが見えない。これより、画像表示装置の外観を良くすることができる。
このように、視聴者からは凹みが見えず、画像表示装置の外観が良いため、筐体前部に装飾のためのカバー等を取付ける必要が無い。このため、画像表示装置の部品点数を抑えることができる。
【００１１】
さらに、上述のように、スピーカ設置部の表面に装飾としてのカバー等を取付ける必要が無いため、音声出力部の厚みを抑えることができる。つまり、音声出力部を可能な限り薄型化することができる。これより、音声出力部を薄型の画像表示装置に備えても、薄型の画像表示装置が有する省スペース、および、優れた外観などの利点を損なうことはない。
このような構成を有する音響筐体によれば、スピーカの背部から出る音声を、音響筐体およびダクトの内部で共鳴させることで、低音領域の音声を増強させることができる。これより、視察者に臨場感のある音声を提供することができる。
【００１２】
本発明の画像表示装置において、放音孔は、筐体前部を音響筐体内部へ向かって貫通形成され、筐体前部に対し極めて小径である複数の貫通孔から構成され、音響筐体を形成する筐体前部の表面には、放音孔とほぼ同径の装飾凹部が分布して形成されていることが好ましい。
【００１３】
本発明によれば、放音孔は、筐体前部に対し極めて小径である複数の貫通孔から構成され、筐体前部の前面には、放音孔の貫通孔とほぼ同じ径を有する装飾凹部を形成されている。このため、視察者からは、筐体前部の前面には同様な小径孔が一様に分布しているように見える。これより、画像表示装置の外見を、凹凸の少ない平坦な略板状に近づけることができ、画像表示装置の外観を良くすることができる。
【発明を実施するための最良の形態】
【００１４】
本発明の一実施形態として、画像表示装置にリアプロジェクタを採用する。
以下、本実施形態に係るリアプロジェクタを図面に基づいて説明する。
図１は、本実施形態のリアプロジェクタ１を正面側から見た斜視図である。また、図２は、リアプロジェクタ１を背面側から見た図であり、図３は、当該リアプロジェクタ１を左側面から見た図である。なお、本実施形態において、前後方向、および、左右方向とは、リアプロジェクタ１を正面側から見た場合の手前−奥方向、および、左右方向を指す。
リアプロジェクタ１は、光源から射出された光束を、入力する画像情報に応じて変調して光学像を形成し、形成した光学像を、当該リアプロジェクタ１に設けられた透光性のスクリーン２Ｂに拡大投射するものである。
【００１５】
（１）外観構成
リアプロジェクタ１は、図１から図３に示すように、箱状の筐体を備え、筐体は、正面側から見て略長方形状を有し、縦断面略三角形状を有する上部キャビネット２と、この上部キャビネット２を下方から支える下部キャビネット３を備えて構成されている。これら上部キャビネット２および下部キャビネット３は、互いにねじ等により固定されている。
このうち、上部キャビネット２は、図１に示すように、内部に後述する反射ミラー２Ａ（図４）を収納する筐体後部としてのミラーケース２１と、画像表示部の画像表示部分としてのスクリーン２Ｂを保持する筐体前部としてのフレーム枠２２とを備えて構成される。
また、下部キャビネット３は、上部キャビネット２を支持するとともに、リアプロジェクタ１の主要な構成部品を内部に収納する平面視略台形状の箱型筐体である。
【００１６】
（1-1）リアプロジェクタ１の正面構成
リアプロジェクタ１の正面側、すなわち、上部キャビネット２の正面側には、図１に示すように、フレーム枠２２が配置されている。
フレーム枠２２は、後述するミラーケース２１（図２）の正面側の寸法と略同じ大きさで正面視略長方形状に形成され、当該ミラーケース２１の正面側に、ねじ等により固定される。
このフレーム枠２２は、前述のように、光学像が投射されるスクリーン２Ｂを保持する。このため、フレーム枠２２の略中央には、スクリーン２Ｂの光学像投射領域と略同じ大きさの略長方形状の開口部２２１が形成され、当該開口部２２１からスクリーン２Ｂが露出する。また、この開口部２２１の左右両側には、背面側に、スピーカ７２（図９）を有する音声出力部として後述する音声出力ユニット７（図９）を設けるスピーカ設置部２２２，２２３が形成されている。
【００１７】
ここで、スクリーン２Ｂは、フレネルシート、レンチキュラーシート、ガラス板等の保護板を備えて構成されている。このうち、フレネルシートは、後述する光学ユニットの投射レンズから射出され、後述する反射ミラー２Ａ（図４）で反射された光束を平行化する。また、レンチキュラーシートは、フレネルシートを透過して平行化された光束を、当該レンチキュラーシートによって拡散して、表示画像を適切に視認できるように構成されている。
【００１８】
下部キャビネット３の正面側には、略中央に略長方形状の開口部３１が形成され、上下方向に回動して、当該開口部３１を開放および閉塞する蓋部材３１Ａが設けられている。
この開口部３１の内部には、詳しい図示を省略するが、正面側操作パネルとしてのフロントパネルが設けられている。このフロントパネルの左側部分には、音量調節や画質調整等を行う各種操作スイッチ、ＰＣ（Personal Computer）接続端子としてのＤ−Ｓｕｂ端子、ステレオ音声入力端子、ビデオ入力端子、Ｓ端子等が配設されている。また、フロントパネルの右側部分には、各種半導体メモリカードが挿入され、当該カードからデータを読み取るカードリーダが配設されている。このような開口部３１の右側には、電源スイッチ３２が設けられている。これらフロントパネルおよび電源スイッチ３２は、後述する制御基板５（図５）に電気的に接続されている。
また、下部キャビネット３の正面側左右両端には、脚部３３が形成されている。
【００１９】
（1-2）リアプロジェクタ１の背面構成
リアプロジェクタ１の背面側は、図２および図３に示すように、上部キャビネット２のミラーケース２１および下部キャビネット３により構成される。
このうち、ミラーケース２１は、縦断面略三角形状を有する合成樹脂製の箱型筐体である。このミラーケース２１は、リアプロジェクタ１の背面を構成する背面壁２１１と、この背面壁２１１の下方端部と接続される底面壁２１２と、これら背面壁２１１および底面壁２１２の左右両側に位置する一対の側壁２１３，２１４とから構成されている。また、このミラーケース２１の正面側には、側壁２１３，２１４に略直交し、互いに離間する方向、すなわち、リアプロジェクタ１の左右方向に延出する延出部２１５，２１６が形成されている。
【００２０】
背面壁２１１は、長辺が上方に位置する平面視略台形状の形状を有し、後方の下側に向かって傾斜するように形成されている。この背面壁２１１の内側の面には、後述する反射ミラー２Ａ（図４）が所定角度で支持されている。
一対の側壁２１３，２１４は、背面壁２１１および底面壁２１２の左右両端を接続するように形成されており、後方に向かうにしたがって内側に傾斜するように形成されている。
延出部２１５，２１６は、側壁２１３，２１４の縦寸法より大きく形成され、略中央部分に、背面方向に向かって膨出した膨出部２１５Ａ，２１６Ａが形成されている。この膨出部２１５Ａ，２１６Ａと、フレーム枠２２のスピーカ設置部２２２，２２３（図１）との対向部分には、後述する音声出力ユニット７（図９）が設けられる。
【００２１】
下部キャビネット３の背面側には、図２における左側に、第１凹部３４が形成され、右側に、第２凹部３５が形成されている。
このうち、第１凹部３４には、略正方形状のランプ交換口３４Ａが形成され、当該ランプ交換口３４Ａは、ランプカバー３４Ｂによって覆われている。このランプ交換口３４Ａは、ランプカバー３４Ｂを取外すことによって開放され、当該ランプ交換口３４Ａを介して、後述する光学ユニット４（図８）の光源装置４１（図８）を交換できるように構成されている。
第２凹部３５には、電源ケーブル３５Ａ、および、背面側操作パネルとしてのリアパネル３５Ｂが設けられている。このうち、リアパネル３５Ｂには、具体的に、ＰＣ接続端子としてのＤＶＩ（Digital Visual Interface）端子、アンテナ入力端子、および、複数系統のビデオ・音声入出力端子等が配設されている。
【００２２】
また、第１凹部３４および第２凹部３５の下方には、下部キャビネット３内部に収納された電子部品を冷却する冷却空気を導入するための吸気口３６（３６Ａ，３６Ｂ）が形成されている。
さらに、第１凹部３４の左側および第２凹部３５の右側には、排気口３７（３７Ａ，３７Ｂ，３７Ｃ）が形成されている。これら排気口３７Ａ〜３７Ｃは、下部キャビネット３内の各種装置を冷却した空気が排出される開口であり、スリット状に形成されている。
このうち、第１凹部３４の左側に形成された第１排気口３７Ａは、後述する光源装置４１（図５）および光源駆動ブロック６２（図６）を冷却した空気を排出する。また、第２凹部３５の右側に形成された第２排気口３７Ｂ，３７Ｃは、後述する制御基板５（図５）および電源ブロック６１（図６）を冷却した空気を排出する。
【００２３】
（２）内部構成
（2-1）上部キャビネット２の内部構成
図４は、上部キャビネット２の内部構成を示す図である。具体的に、図４は、図１の状態からスクリーン２Ｂを取外したリアプロジェクタ１の正面側斜視図である。
上部キャビネット２の内部には、図４に示すように、下部キャビネット３内部に設けられた後述する光学ユニット４（図８）の投射レンズ４６から射出された光学像としての光束を反射する反射ミラー２Ａが収納される。この反射ミラー２Ａは、背面壁２１１（図２）の形状と略同じ平面視略台形状に形成された一般的なミラーであり、上部キャビネット２の背面壁２１１（図２）の内側に、台形状の長辺が上側となるように傾斜して取付けられる。この反射ミラー２Ａの傾斜角は、正面側に取付けられるスクリーン２Ｂ（図１）と後述する光学ユニット４（図８）の投射レンズ４６による映像の反射との設定された位置関係に基づいて設定されている。
【００２４】
また、ミラーケース２１の底面壁２１２は、長辺が前方側に位置する平面視略台形状の形状を有している。この底面壁２１２は、図２および図３に示すように、背面側に向かうにしたがって上方に傾斜するように形成され、背面側の端部で背面壁２１１と、また、左右の端部で側壁２１３，２１４と接続されている。
この底面壁２１２には、図４に示すように、正面側の略中央部分に略矩形状の切欠２１２Ａが形成されており、後述する光学ユニット４（図８）の投射レンズ４６が露出する。また、当該切欠２１２Ａの左側には、上方に向かって膨出した膨出部２１２Ｂが形成されている。この膨出部２１２Ｂは、後述する電源ユニット６（図５）の電源ブロック６１に対応する位置に形成されている。
【００２５】
（2-2）下部キャビネット３の内部構成
図５は、下部キャビネット３の内部構成を示す図である。詳述すると、図５は、図２の状態から下部キャビネット３の背面側の外装ケースを取り外したリアプロジェクタ１の背面側斜視図である。また、図６は、下部キャビネット３の内部構成を模式的に示した平面図である。
下部キャビネット３の内部には、画像を形成する光学ユニット４、リアプロジェクタ１全体の駆動制御を行う制御基板５、および、リアプロジェクタ１を構成する各電子部品に駆動電力を供給する電源ユニット６等を収納する。具体的には、これら光学ユニット４、制御基板５および電源ユニット６は、上部キャビネット２に保持されるスクリーン２Ｂに沿って、下部キャビネット３の底面部３９に設置されている。すなわち、画像形成等のリアプロジェクタ１における主要な処理は、下部キャビネット３内に収納された構成部品によって実行される。
このうち、光学ユニット４は、図５および図６に示すように、下部キャビネット３の略中央から右側、すなわち、背面側から見て左側に配置されている。また、制御基板５および電源ユニット６は、下部キャビネット３の略中央から左側、すなわち、背面側から見て略中央から右側に配置されている。
【００２６】
（３）光学ユニット４の構成
図７は、光学ユニット４を示す斜視図である。また、図８は、光学ユニット４の光学系を示す模式図である。
画像表示部の画像形成部分としての光学ユニット４は、光源装置４１から射出された光束を、液晶パネル４５１により入力する画像情報に応じて変調して光学像を形成し、当該形成した光学像を投射レンズ４６により反射ミラー２Ａ（図４）を介して、スクリーン２Ｂ（図１）に拡大投射するものである。この光学ユニット４は、図７に示すように、下部キャビネットの底面部３９（図５）の上面に設けられた光学ユニット載置台３８上に載置される。
なお、この光学ユニット載置台３８は、複数の板状部材から構成され、光学ユニット４を所定の位置に固定するための板状部材である。
【００２７】
このような光学ユニット４は、図８に示すように、光源装置４１と、インテグレータ照明光学系４２と、色分離光学系４３と、リレー光学系４４と、電気光学装置４５と、投射光学装置としての投射レンズ４６と、これらを内部に収納する光学部品用筐体４７と、投射レンズ４６を保持固定するヘッド体４８とを備えて構成されている。
【００２８】
光源装置４１は、放射光源としての光源ランプ４１１と、リフレクタ４１２と、防爆ガラス４１３と、これらを内部に収納する合成樹脂製の筐体である光源ランプボックス４１４とを備えて構成されている。そして、この光源装置４１は、光源ランプ４１１から射出された放射状の光線をリフレクタ４１２で反射して平行光線とし、この平行光線を、防爆ガラス４１３を介して外部へと射出する。
【００２９】
このうち、光源ランプ４１１は、本実施形態では、高圧水銀ランプが採用されている。なお、高圧水銀ランプ以外に、メタルハライドランプやハロゲンランプ等を採用することもできる。また、リフレクタ４１２としては、放物面鏡を採用しているが、放物面鏡の代わりに、平行化凹レンズおよび楕円面鏡を組み合わせたものを採用してもよい。
防爆ガラス４１３は、リフレクタ４１２の開口部分を閉塞する透光性のガラス部材であり、光源ランプ４１１が破裂した場合に、当該光源ランプ４１１の破片が、光源ランプボックス４１４から外部に飛散しないように構成されている。
光源ランプボックス４１４には、図７に示すように、光源装置４１をリアプロジェクタ１内に収納した際の背面方向に向かって延出した一対の把手４１４Ａが形成されており、光源装置４１を交換する際に、光源ランプボックス４１４を把持しやすいように構成されている。そして、光源ランプ４１１の寿命および破損等により光源装置４１を交換する必要が生じた場合には、前述のランプカバー３４Ｂ（図２）を開放して、ランプ交換口３４Ａ（図２）から光源装置４１ごと交換できるように構成されている。
【００３０】
インテグレータ照明光学系４２は、電気光学装置４５を構成する後述する３つの液晶パネル４５１の画像形成領域をほぼ均一に照明するための光学系である。このインテグレータ照明光学系４２は、図８に示すように、第１レンズアレイ４２１と、第２レンズアレイ４２２と、偏光変換素子４２３と、重畳レンズ４２４とを備えて構成されている。
第１レンズアレイ４２１は、光軸方向から見てほぼ矩形状の輪郭を有する小レンズがマトリクス状に配列された構成を有し、各小レンズは、光源装置４１から射出された光束を複数の部分光束に分割している。
第２レンズアレイ４２２は、第１レンズアレイ４２１と略同様な構成を有しており、小レンズがマトリクス状に配列された構成を有している。この第２レンズアレイ４２２は、重畳レンズ４２４とともに、第１レンズアレイ４２１の各小レンズの像を後述する液晶パネル４５１上に結像させる機能を有する。
【００３１】
偏光変換素子４２３は、第２レンズアレイ４２２と重畳レンズ４２４との間に配設される。このような偏光変換素子４２３は、第２レンズアレイ４２２からの光を略１種類の直線偏光に変換するものであり、これにより、電気光学装置４５での光の利用効率が高められている。
具体的に、偏光変換素子４２３によって略１種類の直線偏光に変換された各部分光は、重畳レンズ４２４によって最終的に電気光学装置４５の後述する液晶パネル４５１上にほぼ重畳される。偏光光を変調するタイプの液晶パネル４５１を用いたリアプロジェクタ１では、１種類の直線偏光しか利用できないため、他種類のランダムな偏光光を発する光源ランプ４１１からの光のほぼ半分が利用されない。そこで、偏光変換素子４２３を用いることにより、光源ランプ４１１から射出された光束を略１種類の直線偏光に変換し、電気光学装置４５での光の利用効率を高めている。
なお、このような偏光変換素子４２３は、例えば特開平８−３０４７３９号公報に紹介されている。
【００３２】
色分離光学系４３は、２枚のダイクロイックミラー４３１，４３２と、反射ミラー４３３とを備え、ダイクロイックミラー４３１，４３２によりインテグレータ照明光学系４２から射出された複数の部分光束を赤（Ｒ）、緑（Ｇ）、青（Ｂ）の３色の色光に分離する機能を有している。
【００３３】
リレー光学系４４は、入射側レンズ４４１と、リレーレンズ４４３と、反射ミラー４４２，４４４とを備え、色分離光学系４３で分離された色光である赤色光を電気光学装置４５の後述する赤色光用の液晶パネル４５１Ｒまで導く機能を有している。
この際、色分離光学系４３のダイクロイックミラー４３１では、インテグレータ照明光学系４２から射出された光束の赤色光成分と緑色光成分とが透過するとともに、青色光成分が反射する。ダイクロイックミラー４３１によって反射した青色光は、反射ミラー４３３で反射し、フィールドレンズ４５５を通って、電気光学装置４５の後述する青色光用の液晶パネル４５１Ｂに到達する。このフィールドレンズ４５５は、第２レンズアレイ４２２から射出された各部分光束をその中心軸（主光線）に対して平行な光束に変換する。他の緑色光用、赤色光用の光変調装置の光束入射側に設けられたフィールドレンズ４５５も同様である。
【００３４】
また、ダイクロイックミラー４３１を透過した赤色光と緑色光のうちで、緑色光は、ダイクロイックミラー４３２によって反射し、フィールドレンズ４５５を通って、緑色光用の液晶パネル４５１Ｇに到達する。一方、赤色光は、ダイクロイックミラー４３２を透過してリレー光学系４４を通り、さらにフィールドレンズ４５５を通って、赤色光用の液晶パネル４５１Ｒに到達する。
なお、赤色光にリレー光学系４４が用いられているのは、赤色光の光路の長さが他の色
光の光路の長さよりも長いため、光の発散等による光の利用効率の低下を防止するためである。すなわち、入射側レンズ４４１に入射した部分光束をそのまま、フィールドレンズ４５５に伝えるためである。なお、リレー光学系４４には、３つの色光のうちの赤色光を通す構成としたが、これに限らず、例えば、青色光や緑色光を通す構成としてもよい。
【００３５】
電気光学装置４５は、入射された光束を画像情報に応じて変調してカラー画像を形成するものであり、色分離光学系４３で分離された各色光が入射される３つの入射側偏光板４５２と、各入射側偏光板４５２の光路後段に配置される光変調素子としての３つの液晶パネル４５１（赤色光用の液晶パネルを４５１Ｒ、緑色光用の液晶パネルを４５１Ｇ、青色光用の液晶パネルを４５１Ｂとする）と、各液晶パネル４５１の光路後段に配置される３つの射出側偏光板４５３と、色合成光学装置としてのクロスダイクロイックプリズム４５４とを備える。そして、これら入射側偏光板４５２、液晶パネル４５１、射出側偏光板４５３、およびクロスダイクロイックプリズム４５４は、一体的にユニット化されている。なお、入射側偏光板４５２、液晶パネル４５１、および、射出側偏光板４５３は、具体的な図示は省略するが、所定の間隔を空けて配置している。
【００３６】
入射側偏光板４５２は、偏光変換素子４２３で偏光方向が略一方向に揃えられた各色光が入射され、入射された光束のうち、偏光変換素子４２３で揃えられた光束の偏光軸と略同一方向の偏光光のみ透過させ、その他の光束を吸収するものである。この入射側偏光板４５２は、例えば、サファイアガラスまたは水晶等の透光性基板上に偏光膜が貼付された構成を有している。
【００３７】
液晶パネル４５１は、一対の透明ガラス基板に電気光学物質である液晶が密閉封入された構成を有し、後述する制御基板から出力される駆動信号に応じて、画像形成領域内にある前記液晶の配向状態が制御され、入射側偏光板４５２から射出された偏光光束の偏光方向を変調する。
【００３８】
射出側偏光板４５３は、入射側偏光板４５２と略同様の構成であり、液晶パネル４５１の画像形成領域から射出された光束のうち、入射側偏光板４５２における光束の透過軸と直交する偏光軸を有する光束のみ透過させ、その他の光束を吸収するものである。
【００３９】
クロスダイクロイックプリズム４５４は、射出側偏光板４５３から射出された色光毎に変調された光学像を合成してカラー画像を形成する光学素子である。このクロスダイクロイックプリズム４５４は、４つの直角プリズムを貼り合わせた平面視正方形状をなし、直角プリズム同士を貼り合わせた界面には、２つの誘電体多層膜が形成されている。これら誘電体多層膜は、液晶パネル４５１Ｒ，４５１Ｂから射出され射出側偏光板４５３を介した各色光を反射し、液晶パネル４５１Ｇから射出され射出側偏光板４５３を介した色光を透過する。このようにして、各液晶パネル４５１Ｒ，４５１Ｇ，４５１Ｂにて変調された各色光が合成され、カラー画像が形成される。
【００４０】
投射レンズ４６は、鏡筒内に複数のレンズ、および、入射光束を偏向するミラーが収納された構成を有し、電気光学装置４５から射出されたカラー画像を拡大して、反射ミラー２Ａ（図４）に向けて、すなわち、正面に向かって射出されたカラー画像を上方向に向けて折り曲げて投射するものである。この投射レンズ４６は、電気光学装置４５の光束射出側に配置され、後述するヘッド体４８に固定されている。また、この投射レンズ４６は、図４に示すように、下部キャビネット３の正面側略中央に配置され、前述の上部キャビネット２の底面壁２１２に形成された切欠２１２Ａからミラーケース２１内部に露出する。
【００４１】
光学部品用筐体４７は、図８に示すように、内部に所定の照明光軸Ａが設定され、上述した光学部品４２〜４５を照明光軸Ａに対する所定位置に配置する。この光学部品用筐体４７は、光源装置収納部材４７１と、部品収納部材４７２と、蓋状部材４７３とを備えて構成されている。
【００４２】
光源装置収納部材４７１は、詳しい図示を省略するが、背面側に開口した断面略Ｕ字状を有する箱型に形成されている。この光源装置収納部材４７１に光源装置４１を収納する際には、当該光源装置収納部材４７１に対して光源ランプボックス４１４を正面側に向かってスライドさせる。また、光源装置収納部材４７１から光源装置４１を取り出す場合には、背面側に向かって光源ランプボックス４１４をスライドさせる。
この光源装置収納部材４７１は、部品収納部材４７２に接続されており、当該部品収納部材との接続部分には、光源装置４１の光源ランプ４１１から射出される光束が通過するように開口４７１Ａが形成されている。
【００４３】
部品収納部材４７２は、上方が開口した断面略Ｕ字状を有する合成樹脂製の箱型筐体として構成されている。この部品収納部材４７２は、前述のように、一端側に、光源装置収納部材４７１が接続され、他端側に、電気光学装置４５および投射レンズ４６を保持固定するヘッド体４８が取付けられる。このうち、光源装置収納部材４７１に接続される側の部品収納部材４７２の端部には、光源装置収納部材４７１に収納された光源装置４１から射出された光束が、部品収納部材４７２内を通過するように略矩形の開口４７２Ａが形成されている。
この部品収納部材４７２の内部には、複数の溝が形成され、当該溝に、前述の光学部品４２１〜４２４、４３１〜４３３、４４１〜４４４、４５５を、上方から嵌め込むようにして位置決め固定する。
【００４４】
この部品収納部材４７２において、光源装置４１の光源ランプ４１１から射出され内部で導光した光束を射出する平面視Ｕ字状の射出側端部の各端面には、図８に示すように、光束を通過させるための光束通過用開口としての切欠４７２Ｂがそれぞれ形成され、当該切欠４７２Ｂを閉塞するように切欠４７２Ｂの周縁部分にフィールドレンズ４５５が取付けられる。
また、この部品収納部材４７２には、図７に示すように、外面に複数の脚部４７２Ｃが形成されている。これら脚部４７２Ｃは、下部キャビネット３の底部内面に形成された光学ユニット載置台３８に、当該部品収納部材４７２を固定するためのものである。そして、部品収納部材４７２は、脚部４７２Ｃに形成された孔４７２Ｃ１を介して、光学ユニット載置台３８にねじ固定される。
【００４５】
蓋状部材４７３は、図７に示すように、部品収納部材４７２の平面形状に対応する形状を有し、当該部品収納部材４７２の上部開口を閉塞するように取付けられる合成樹脂製の筐体である。
この蓋状部材４７３の偏光変換素子４２３（図８）に対応する位置には、開口（図示省略）が形成されており、当該開口の上方には、偏光変換素子４２３を冷却するための冷却ファン９１が設けられている。
【００４６】
部品収納部材４７２の光束射出側の端部には、図８に示すように、投射レンズ４６を保持固定するヘッド体４８が取付けられる。
ヘッド体４８は、例えばアルミニウム合金またはマグネシウム合金等の金属材料から構成され、電気光学装置４５および投射レンズ４６を一体化するとともに、一体化したユニットを光学部品用筐体４７に対して取付けるものである。
このヘッド体４８は、詳しい図示を省略するが、側面視略逆Ｔ字状を有し、光束入射側の水平部４８１と、光束射出側の水平部４８２と、これら水平部４８１，４８２に挟まれ、当該水平部４８１，４８２から垂直に起立する垂直部４８３とから構成されている。
このうち、光束入射側の水平部４８１には、電気光学装置４５が固定され、光束射出側の水平部４８２には、投射レンズ４６が固定される。また、垂直部４８３には、電気光学装置４５から射出された光束を投射レンズ４６に導く開口４８３Ａが形成されている。
【００４７】
（４）制御基板５の構成
制御基板５は、投射レンズ４６の左側、すなわち、図５および図６における中央右寄りに縦置きに配置されており、ＥＭＩ（Electromagnetic Interference，電磁障害）を防止するため、複数の孔が形成された金属製のシールド部材で全体が覆われている。この制御基板５は、ＣＰＵ（Central Processing Unit）、ＲＯＭ（Read Only Memory）およびＲＡＭ（Random Access Memory）等を実装した回路基板として構成され、フロントパネルおよびリアパネル３５Ｂ（図２）に設けられた各接続端子から入力した画像情報、音声情報、および、フロントパネルに配設された操作ボタンからの操作信号を処理して、光学ユニット４（図８）の液晶パネル４５１（図８）を含むリアプロジェクタ１（図１）全体の駆動制御を行う。
【００４８】
（５）電源ユニット６の構成
電源ユニット６は、外部から入力する交流電流を直流変換して、リアプロジェクタ１（図１）を構成する各電子部品に、駆動電力を供給する。
この電源ユニット６は、図５および図６に示すように、下部キャビネット３の右側に配置され、電源ケーブル３５Ａ（図２）と接続される電源ブロック６１と、光源装置収納部材４７１の正面側に配置され、光源装置４１を構成する光源ランプ４１１（図８）に駆動電力を供給する光源駆動ブロック６２とから構成されている。
このうち、電源ブロック６１は、図５および図６に示すように、背面側から見て下部キャビネット３の右側に配置されており、光源装置４１とは投射レンズ４６を挟んで反対側に配置されている。電源ブロック６１は、電源ケーブル３５Ａ（図２）を介して入力する商用交流電流を直流変換し、各電子部品に応じた電圧に昇圧および減圧した後に、光源駆動ブロック６２および制御基板５等の電子部品に供給する。
光源駆動ブロック６２は、電源ブロック６１から供給される直流電流を整流、変圧して、交流矩形波電流を発生させ、この交流矩形波電流を光源装置４１の光源ランプ４１１（図８）に供給する。この光源駆動ブロック６２は、前述の制御基板５に電気的に接続され、当該制御基板５により、光源駆動ブロック６２を介して、光源ランプ４１１（図８）の点灯制御がなされている。
【００４９】
（６）音声出力ユニット７の構成
図９〜図１１に、音声出力部としての音声出力ユニット７を示す。図９は、左方の音声出力ユニット７の斜視図、図１０は、図９の音声出力ユニット７の前方側内部構造の背面図、図１１は、図９の音声出力ユニット７を左側から見た断面図である。
音声出力ユニット７は、前述の制御基板５（図５，図６）と電気的に接続されており、当該制御基板５（図５，図６）から出力される駆動信号に応じて音声を出力する。音声出力ユニット７は、これらの図に示すように、上部キャビネット２の左右縁部に設けられた音響筐体としてのエンクロージャ７１と、エンクロージャ７１に収納されるエンクロージャ内部構造とによって構成される。左右の音声出力ユニット７は、互いに同一構成であるため、左方を代表して説明する。
【００５０】
エンクロージャ７１は、音声を内部で反響させることによって、臨場感を増幅させて外部へ放音させる。エンクロージャ７１は、前方側、後方側の二枚の筐体を合わせることで形成される。つまり、エンクロージャ７１は、スクリーン２Ｂの周辺のフレーム枠２２に形成されたスピーカ設置部２２２と、ミラーケース２１の延出部２１５に形成された膨出部２１５Ａとを接合面Ｂで合わせることによって形成される。エンクロージャ７１は、下記の構造によって、低音領域の音声を増強させることができるバスレフ型の構成を有している。
【００５１】
エンクロージャ７１の内部において、スピーカ設置部２２２の背面にはスピーカ７２が取付けられている。スピーカ設置部２２２のスピーカ７２が取付けられた箇所には、高音用の放音孔７３が形成されている。膨出部２１５Ａには、エンクロージャ７１の内部へ突出して形成されるとともに、開口端７４１が外部へ露出するダクト７４が設けられている。
図１０は、スピーカ設置部２２２の背面図である。図１０に示すように、スピーカ７２は、高音用スピーカ７２１が上方に取付けられ、低音用スピーカ７２２が下方に取付けられている。高音用スピーカ７２１からは、高音領域の音声が強調して出力され、低音用スピーカ７２２からは、低音〜高音領域の音声が出力される。高音用スピーカ７２１および低音用スピーカ７２２は、それぞれ放音側に形成された放音開口７２３が前方を向く状態で、スピーカ設置部２２２の背面から円筒状に突出された突出部に、放音開口７２３の周縁部がねじ等で固定されている。これより、図１１に示したように、高音用スピーカ７２１および低音用スピーカ７２２は、スピーカ設置部２２２の背面、つまり、ミラーケース２１の側部に形成された延出部２１５Ａとの間に一定距離のクリアランスを有して固定されている。
【００５２】
放音孔７３は、高音用スピーカ７２１および低音用スピーカ７２２から出た高音領域の音声を外部へ放音するための孔である。放音孔７３は、図１１に示すように、スピーカ設置部２２２にエンクロージャ７１の内部へ向かって貫通形成され、スピーカ設置部２２２に対し極めて小径である複数の貫通孔７３１から構成される。貫通孔７３１は、高音用スピーカ７２１および低音用スピーカ７２２放音開口７２３にほぼ対向して、それぞれ円形状に分布されている。
この放音孔７３の分布領域を除くスピーカ設置部２２２の表面には、貫通孔７３１と同じ径を有する装飾凹部７３２が、貫通孔７３１と同じ密度で分布して形成されている。
【００５３】
ここで、スピーカ設置部２２２（２２３）の表面に、放音孔７３の貫通孔７３１と同じ径、かつ、同じ分布密度を有する装飾凹部７３２を形成したので、視察者からは、スピーカ設置部２２２（２２３）の表面には同様な小径孔が一様に分布しているように見える。これより、スピーカ設置部２２２（２２３）の外見、さらに、リアプロジェクタ１の外見を、凹凸の少ない平坦な略板状に近づけることができる。つまり、リアプロジェクタ１の外観を良くすることができる。
【００５４】
ダクト７４は、高音用スピーカ７２１および低音用スピーカ７２２の背部から出る音声を、エンクロージャ７１とともに共鳴させることで、低音領域の音声を増強させることができる。ダクト７４は、ミラーケース２１と一体的に射出成型され、図１１に示すように、膨出部２１５Ａの下方において外部に露出された円形の開口端７４１と、開口端７４１からエンクロージャ７１の内部へ向かって水平方向に延設され、断面円形状を有するダクト本体７４２とから構成される。開口端７４１の周辺付近には、成型時にエンクロージャ７１の内部へ向かって陥没した凹部７４３が形成されている。ここで、ダクト７４の管長および管径は、エンクロージャ７１の形状、および、実現したい反響音に応じて調節するのがよい。
【００５５】
このように、ダクト７４が、膨出部２１５Ａ（２１５Ｂ）において、エンクロージャ７１の内部へ向かって突出して形成されているので、リアプロジェクタ１を正面側から見ている視察者からは、開口端７４１の付近の凹部７４３が見えない。このため、リアプロジェクタ１の外観を良くすることができる。
また、エンクロージャ７１にダクト７４を有するバスレフ型を採用したことから、スピーカ７２の背部から出る音声を、エンクロージャ７１、および、ダクト７４の内部で共鳴させることで、低音領域の音声を増強させることができる。これより、視察者に臨場感のある音声を提供することができる。
【００５６】
このような音声出力ユニット７を組み立てるには、まず、膨出部２１５Ａの正面にダクト７４を備えたミラーケース２１を射出成型する。次に、フレーム枠２２のスピーカ設置部２２２の背面にスピーカ７２を取付けておく。上部キャビネット２を組み立てるために、フレーム枠２２の背面側とミラーケース２１の正面側とを対向させて組み合わせると、接合面Ｂにおいてスピーカ設置部２２２と膨出部２１５Ａとが合わさり、同時に、スピーカ７２やダクト７４などの内部構造を内部に収納したエンクロージャ７１が形成される。音声出力ユニット７は、このようにして組み立てられるとともに、リアプロジェクタ１に備えられる。
【００５７】
ここで、上述したように、装飾凹部７３２、および、膨出部２１５Ａ（２１５Ｂ）に形成されたダクト７４によって、リアプロジェクタ１の外観を良くすることができることから、スピーカ設置部２２２（２２３）の表面に、装飾のためのカバー等を取付ける必要が無い。これより、リアプロジェクタ１の部品点数を抑えることができる。
さらに、スピーカ設置部２２２（２２３）の表面に装飾としてのカバー等を取付ける必要が無いことから、音声出力ユニット７の厚みを抑えることができる。つまり、音声出力ユニット７を可能な限り薄型化することができ、薄型のリアプロジェクタ１に備えても、リアプロジェクタ１の有する省スペース、および、優れた外観などの利点を損なうことはない。
また、ダクト７４を膨出部２１５Ａ（２１５Ｂ）とともに一体的に射出成型するので、部品点数および製作工程数を抑えることができる。このため、リアプロジェクタ１の生産性を向上させることができる。
【００５８】
本発明を実施するための最良の構成などは、以上の記載で開示されているが、本発明はこれに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部若しくは全部の限定を外した部材の名称での記載は、本発明に含まれるものである。
【００５９】
本発明では、膨出部２１５Ａ,２１５Ｂにおいて、開口端７４１が外部に露出するように形成され、ダクト本体７４２が、エンクロージャ７１に収納されるように膨出部２１５Ａ,２１６Ｂの正面側に形成されていればよい。つまり、ダクト７４の細部形状および形成位置などは、実現したい反響音に応じて調節すればよい。例えば、ダクト７４は断面円形状ではなくてもよく、断面矩形状や断面楕円形状であってもよい。
【００６０】
前記実施形態では、放音孔７３および装飾凹部７３２は断面円形状としたが、本発明では、これに限らず、視察者が互いの区別をつけにくく、かつ、スピーカ設置部２２２の表面が凹凸の少ない略平面に見えるのならば、他の断面形状であってもよい。
【００６１】
前記実施形態では、３つの光変調装置を用いたリアプロジェクタ１を採用したが、これに限らず、例えば、１つの光変調装置のみを用いたリアプロジェクタ、２つの光変調装置を用いたリアプロジェクタ、または４つ以上の光変調装置を用いたリアプロジェクタとしてもよい。また、光変調装置として液晶パネル４５１を採用したが、これに限らず、マイクロミラーを用いたデバイス等の液晶以外の光変調装置を採用してもよい。さらに、透過型の光変調装置ではなく、反射型の光変調装置を用いてもよい。
【００６２】
前記実施形態では、画像表示装置としてリアプロジェクタ１を例示したが、本発明はこれに限らず、画像情報に応じて画像を形成するものであれば、他の画像表示装置でもよい。このような画像表示装置として、例えば、ＣＲＴ（Cathode-Ray Tube）ディスプレイ、液晶ディスプレイおよびプラズマディスプレイ等を挙げることができる。
【産業上の利用可能性】
【００６３】
本発明は、液晶テレビおよびリアプロジェクタなどの薄型の映像表示装置に利用することができる。
【図面の簡単な説明】
【００６４】
【図１】本発明の一実施形態に係るリアプロジェクタを正面側から見た斜視図。
【図２】前記実施形態におけるリアプロジェクタを背面側から見た斜視図。
【図３】前記実施形態におけるリアプロジェクタを左側から見た側面図。
【図４】前記実施形態における上部キャビネットの内部構成を示す斜視図。
【図５】前記実施形態における下部キャビネットの内部構成を示す斜視図。
【図６】前記実施形態における下部キャビネットの内部構成を示す模式図。
【図７】前記実施形態における光学ユニットを示す斜視図。
【図８】前記実施形態における光学ユニットの光学系を示す模式図。
【図９】前記実施形態における音声出力ユニットを正面側から見た斜視図。
【図１０】図９の音声出力ユニットのスピーカ設置部を背面側から見た斜視図。
【図１１】図９の音声出力ユニットを左側から見た断面図。
【符号の説明】
【００６５】
１…リアプロジェクタ（画像表示装置）、２…上部キャビネット、２Ａ…スクリーン（画像表示部）、２１…ミラーケース、２１５，２１６…延出部、２１５Ａ，２１５Ｂ…膨出部、２２…フレーム枠、２２２，２２３…スピーカ設置部、４…光学ユニット（画像表示部）、７…音声出力ユニット（音声出力部）、７１…エンクロージャ（音響筐体）、７２…スピーカ、７３…放音孔、７３１…貫通孔、７３２…装飾凹部、７４…ダクト、７４１…開口端
【図１】
2006211388.tif 000003
【図２】
2006211388.tif 000004
【図３】
2006211388.tif 000005
【図４】
2006211388.tif 000006
【図５】
2006211388.tif 000007
【図６】
2006211388.tif 000008
【図７】
2006211388.tif 000009
【図８】
2006211388.tif 000010
【図９】
2006211388.tif 000011
【図１０】
2006211388.tif 000012
【図１１】
2006211388.tif 000013